(57)【要約】【課題】露出調整機構の小型軽量化を実現する。【解決手段】絞り羽根１１ａは、可撓性を有する程度に薄い軽量な材料からなり矩形平板形状を有し、一端に該矩形平板の両長辺から部材中央方向に向かって尖状に切り込まれた三角状切欠１３ａを有する。絞り羽根１１ａは、三角状切欠１３ａを有する部位の反対端が保持部材１２に取り付けられ、保持部材１２には、平面巻回コイル１８が備えられている。また保護カバー２１には、互いに反対の極性に着磁された２領域を有するマグネット２４がヨーク２３を介して取り付けられている。平面巻回コイル１８に電流が流れるとマグネット２３との間を通る磁束が変化し、平面巻回コイル１８がマグネット２３の磁力線を横切る部分に対して、フレミングの左手の法則によって光軸に垂直な方向と平行な推力が発生する。この推力が保持部材１２の駆動力となって絞り羽根をガイド軸に沿った方向に動かす。【選択図】図２
2006064860.tif 000002
【特許請求の範囲】
【請求項１】
矩形平板形状を有し一端に該矩形平板の中央方向に切り込まれた切欠部を有する遮光部材と、
上記遮光部材に設けられた平面巻回コイルと、
上記遮光部材を外縁部において可動自在に支持するとともに該遮光部材の動きを光軸に対して垂直な平面上の一方向に規制するガイド軸と、
互いに反対の極性に着磁された第１の領域と第２の領域とが隣接されてなり上記平面巻回コイルに対向した平行平面上に配置された磁性材料と、
上記平面巻回コイルに供給する電流の方向を制御する電流制御手段と
を備えることを特徴とする露出制御機構。
【請求項２】
矩形平板形状を有し一端に該矩形平板の中央方向に切り込まれた第１の切欠部を有する第１の遮光部材と、
上記第１の遮光部材に設けられた第１の平面巻回コイルと、
上記第１の遮光部材を可動自在に支持するとともに該第１の遮光部材の動きを光軸に直交する平面上の一方向に規制するガイド軸と、
互いに反対の極性に着磁された第１の領域と第２の領域とが隣接され上記第１の平面巻回コイルに対向した平行平面上に配置された第１の磁性材料と、
矩形平板形状を有し一端に該矩形平板の中央方向に切り込まれた第２の切欠部を有する第２の遮光部材と、
上記第２の遮光部材に設けられた第２の平面巻回コイルと、
互いに反対の極性に着磁された第１の領域と第２の領域とが隣接され上記第２の平面巻回コイルに対向した平行平面上に配置された第２の磁性材料と、
上記第１の平面巻回コイル及び上記第２の平面巻回コイルに供給する電流の方向を制御する電流制御手段とを備え、
上記第２の遮光部材は、上記ガイド軸に対して、上記第１の遮光部材と略同一平面上に該第２の切欠部を上記第１の切欠部に向き合わせて支持され、上記第１の遮光部材が上記ガイド軸に沿って移動するとともに上記第２の遮光部材が該ガイド軸に沿って移動することにより上記第１の遮光部材と上記第２の遮光部材の一部が重なって上記第１の切欠部と上記第２の切欠部との間にできる開口領域によって絞り開口を形成することを特徴とする露出制御機構。
【請求項３】
上記第１の遮光部材の第１の切欠部を有する端部とは反対端を保持する第１の保持部材と、上記第２の遮光部材の第２の切欠部を有する端部とは反対端を保持する第２の保持部材とを備え、上記第１の平面巻回コイルは上記第１の保持部材の光軸に直交する一平面上に設けられ、上記第１の遮光部材は、該第１の保持部材を介して上記ガイド軸に可動自在に支持され、上記第２の平面巻回コイルは上記第２の保持部材の光軸に直交する一平面上に設けられ、上記第２の遮光部材は、該第２の保持部材を介して上記ガイド軸に可動自在に支持されることを特徴とする請求項２記載の露出制御機構。
【請求項４】
上記第１の平面巻回コイルと上記第２の平面巻回コイルとが上記第１の保持部材又は上記第２の保持部材の被写体側又は結像側の何れかの面上に設置されていることを特徴とする請求項３記載の露出制御機構。
【請求項５】
上記第１の平面巻回コイルと上記第２の平面巻回コイルは、何れか一方が上記第１の保持部材又は上記第２の保持部材の被写体側に設けられ、他方が結像側に設けられていることを特徴とする請求項３記載の露出制御機構。
【請求項６】
上記第１の遮光部材の長辺両端部を保持する第１の両端保持部材と、上記第２の遮光部材の長辺両端部を保持する第２の両端保持部材とを備え、上記第１の平面巻回コイルは上記第１の両端保持部材に連結され光軸に直交する一平面上であって且つ上記第１の遮光部材によって形成される絞り開口領域外に設けられ、上記第２の平面巻回コイルは上記第２の両端保持部材に連結され光軸に直交する一平面上であって且つ上記第２の遮光部材によって形成される絞り開口領域外に設けられることを特徴とする請求項２記載の露出制御機構。
【請求項７】
上記第１の平面巻回コイルに対向する上記第１の磁性材料と上記第２の平面巻回コイルに対向する上記第２の磁性材料とが共通化されていることを特徴とする請求項６記載の露出制御機構。
【請求項８】
矩形平板形状を有し一端に該矩形平板の中央方向に切り込まれた第１の切欠部を有する第１の遮光部材と、
上記第１の遮光部材に設けられた平面巻回コイルと、
上記第１の遮光部材の長辺外縁に沿って設けられ光軸に直交する平面上に延長された第１の支持部材と、
上記第１の遮光部材を可動自在に支持するとともに該第１の遮光部材の動きを光軸に直交する平面上の一方向に規制するガイド部材と、
互いに反対の極性に着磁された第１の領域と第２の領域とが隣接され上記平面巻回コイルに対向した平行平面上に配置された磁性材料と、
上記平面巻回コイルに供給する電流の方向を制御する電流制御手段と、
矩形平板形状を有し一端に該矩形平板の中央方向に切り込まれた第２の切欠部を有し、上記第１の遮光部材と略同一平面上に該第２の切欠部を上記第１の切欠部に向き合わせる位置に設置される第２の遮光部材と、
上記第２の遮光部材の長辺外縁に沿って設けられ光軸に直交する平面上に上記第１の支持部材と同一方向に延長された第２の支持部材と、
一端に上記第１の支持部材の端部が連結され他端に上記第２の支持部材の端部が連結され中央部で回動自在に軸支された回動アームとを備え、
上記第１の遮光部材が光軸に直交する平面上の一方向に上記ガイド部材に沿って移動すると上記回動アームを介して上記第２の支持部材が上記第１の遮光部材の移動方向と逆方向に移動し、上記第１の遮光部材と上記第２の遮光部材の一部が重なって上記第１の切欠部と上記第２の切欠部との間にできる開口領域によって絞り開口を形成することを特徴とする露出制御機構。
【請求項９】
上記第１の遮光部材の第１の切欠部を有する端部とは反対端を保持する保持部材を備え、上記平面巻回コイルは上記保持部材の光軸に直交する一平面上に設けられ、上記第１の遮光部材は、該保持部材を介して上記ガイド部材に可動自在に支持されることを特徴とする請求項８記載の露出制御機構。
【請求項１０】
上記第１の遮光部材の長辺両端部を保持する両端保持部材を備え、上記平面巻回コイルは上記両端保持部材に連結され光軸に直交する一平面上であって且つ上記第１の遮光部材及び上記第２の遮光部材によって形成される絞り開口領域外に設けられることを特徴とする請求項８記載の露出制御機構。
【発明の詳細な説明】
【技術分野】
【０００１】
本発明は、露出制御機構に関し、特に、ビデオカメラ等の撮像装置に装備され非接触駆動手段によって変位駆動される露出制御機構に関する。
【背景技術】
【０００２】
ビデオカメラ等の撮像装置に用いられ光量を制御する露出制御機構において、複数の絞り羽根を光軸回りに回動させて絞り径の調整を行う“虹彩絞り”に換わって、一部切欠を有する少なくとも一組の平板状の遮光部材を同一平面上を互いに逆方向に移動することによって絞り径調整を行う“絞り羽根”を用いて露出制御する機構が実用化されている。この手法は、絞り機構の小型化及び軽量化が達成されるとともに駆動機構が簡素化できることによる製造コストの低減も実現されるという利点がある。また、露出制御機構のなかには、小型軽量化、機構の簡素化という点からシャッタを兼用したものもある。
【０００３】
撮像装置に用いられる露出制御機構では、２枚若しくは複数枚の絞り羽根を光軸に対して垂直平面上に互いに逆方向に平行移動させるための駆動手段として、ガルバノ式メータ、ステッピングモータ等を用いてアーム機構等により駆動用モータの回転運動を直線運動に換える手法が広く採用されてきた（例えば、特許文献１参照）。
【０００４】
一方、特許文献１を始めとする技術で用いられる駆動手段を使用した機構は、回転運動を直線運動に変える手法をとっているが、レンズ駆動機構に採用されているリニアアクチュエータを絞り調整に適用し、可動平板磁石とコイルを組み合わせて予め直線運動で光量制御部材を移動する技術も提案されている（例えば、特許文献２参照）。
【０００５】
近年では、撮像装置を小型化する要求が高まっており、これに伴い撮像装置のレンズ鏡筒自体、また鏡筒に含まれる各機構も益々小型化する必要がある。特に、絞りを調整するための露出制御機構は、例えば特許文献１をはじめとする技術では、上述したように駆動手段であるガルバノ式メータ、ステッピングモータ等のメータ部がレンズ鏡筒外部に張り出すことになり、この部分の占める空間容量を削減することが難しい。これに対して、特許文献２に記載の技術のように、予め直線運動によって絞りを制御する機構は、駆動効率という点で、また空間的な問題が解決できるという点で、回転駆動を直線運動に変更するタイプの機構に替わる手法として期待できる。
【０００６】
【特許文献１】特開２００１−２７２７０９号公報
【特許文献２】特開平２−２２６１３０号公報
【発明の開示】
【発明が解決しようとする課題】
【０００７】
特許文献２の技術に提案されている光量制御装置の構成では、光量制御部材が互いに相反発するように着磁された強磁性材料からなるため、遮光のために動かす部材が重くなり駆動性が低下する。この問題を解決するには磁力を増大すればよいが、それには駆動機構が大きくなることが懸念される。
【０００８】
更には、光量制御部材全体が着磁されているため、これを支持する支持マグネットを含め、光量制御部内に不要な磁界及び磁力線が多数発生し、制御系に悪影響を及ぼす可能性がある。移動する光量制御部材が少なくとも一対（２枚）あるため、光量制御装置内の磁界が不安定に変動し、速度検出コイルにおいて正確な速度検出ができず、正確な制御が難しい。
【０００９】
そこで本発明は、上述した従来の実情に鑑みて提案されたものであり、小型軽量化を実現する露出制御機構を提供することを目的とする。
【課題を解決するための手段】
【００１０】
上述した目的を達成するために、本発明に係る露出制御機構は、矩形平板形状を有し一端に該矩形平板の中央方向に切り込まれた切欠部を有する遮光部材と、遮光部材に設けられた平面巻回コイルと、遮光部材を外縁部において可動自在に支持するとともに該遮光部材の動きを光軸に対して垂直な平面上の一方向に規制するガイド軸と、互いに反対の極性に着磁された第１の領域と第２の領域とが隣接されてなり平面巻回コイルに対向した平行平面上に配置された磁性材料と、平面巻回コイルに供給する電流の方向を制御する電流制御手段とを備え、平面巻回コイルに供給する電流を制御することにより、遮光部材を光軸に対して垂直な平面に平行に移動させる。
【００１１】
また、上述した目的を達成するために、本発明に係る露出制御機構は、矩形平板形状を有し一端に該矩形平板の中央方向に切り込まれた第１の切欠部を有する第１の遮光部材と、第１の遮光部材に設けられた第１の平面巻回コイルと、第１の遮光部材を可動自在に支持するとともに該第１の遮光部材の動きを光軸に直交する平面上の一方向に規制するガイド軸と、互いに反対の極性に着磁された第１の領域と第２の領域とが隣接され第１の平面巻回コイルに対向した平行平面上に配置された第１の磁性材料と、矩形平板形状を有し一端に該矩形平板の中央方向に切り込まれた第２の切欠部を有する第２の遮光部材と、第２の遮光部材に設けられた第２の平面巻回コイルと、互いに反対の極性に着磁された第１の領域と第２の領域とが隣接され第２の平面巻回コイルに対向した平行平面上に配置された第２の磁性材料と、第１の平面巻回コイル及び第２の平面巻回コイルに供給する電流の方向を制御する電流制御手段とを備えている。
【００１２】
本発明に係る露出制御機構では、第２の遮光部材が、ガイド軸に対して第１の遮光部材と略同一平面上に該第２の切欠部を第１の切欠部に向き合わせて支持されており、第１の遮光部材がガイド軸に沿って移動するとともに第２の遮光部材が該ガイド軸に沿って移動することにより第１の遮光部材と第２の遮光部材の一部が重なって第１の切欠部と第２の切欠部との間にできる開口領域によって絞り開口を形成する。
【００１３】
また、本発明に係る露出制御機構は、第１の遮光部材の第１の切欠部を有する端部とは反対端を保持する第１の保持部材を備え、第１の平面巻回コイルが第１の保持部材の光軸に直交する一平面上に設けられる。また、第２の遮光部材の第２の切欠部を有する端部とは反対端を保持する第２の保持部材を備え、第２の平面巻回コイルが第２の保持部材の光軸に直交する一平面上に設けられている。
【００１４】
ここで、第１の平面巻回コイルと第２の平面巻回コイルとは、第１の保持部材又は第２の保持部材の被写体側又は結像側の何れかの面上に設置されるか、何れか一方が被写体側に設けられ、他方が結像側に設けられている。
【００１５】
また、本発明に係る露出制御機構は、第１の遮光部材の長辺両端部を保持する第１の両端保持部材と、第２の遮光部材の長辺両端部を保持する第２の両端保持部材とを備えていてもよく、この場合、第１の平面巻回コイルが第１の両端保持部材に連結され光軸に直交する一平面上であって且つ第１の遮光部材によって形成される絞り開口領域外に設けられる。また、第２の平面巻回コイルが第２の両端保持部材に連結され光軸に直交する一平面上であって且つ第２の遮光部材によって形成される絞り開口領域外に設けられる。また、こうすると、第１の平面巻回コイルに対向する第１の磁性材料と、第２の平面巻回コイルに対向する第２の磁性材料とを共通化することができる。
【００１６】
また、上述した目的を達成するために、本発明に係る露出制御機構は、矩形平板形状を有し一端に該矩形平板の中央方向に切り込まれた第１の切欠部を有する第１の遮光部材と、第１の遮光部材に設けられた平面巻回コイルと、第１の遮光部材の長辺外縁に沿って設けられ光軸に直交する平面上に延長された第１の支持部材と、第１の遮光部材を可動自在に支持するとともに該第１の遮光部材の動きを光軸に直交する平面上の一方向に規制するガイド部材と、互いに反対の極性に着磁された第１の領域と第２の領域とが隣接され平面巻回コイルに対向した平行平面上に配置された磁性材料と、平面巻回コイルに供給する電流の方向を制御する電流制御手段と、矩形平板形状を有し一端に該矩形平板の中央方向に切り込まれた第２の切欠部を有し、第１の遮光部材と略同一平面上に該第２の切欠部を第１の切欠部に向き合わせる位置に設置される第２の遮光部材と、第２の遮光部材の長辺外縁に沿って設けられ光軸に直交する平面上に第１の支持部材と同一方向に延長された第２の支持部材と、一端に第１の支持部材の端部が連結され他端に第２の支持部材の端部が連結され中央部で回動自在に軸支された回動アームとを備える。これにより、第１の遮光部材が光軸に直交する平面上の一方向にガイド部材に沿って移動すると、回動アームを介して第２の支持部材が第１の遮光部材の移動方向と逆方向に移動し、第１の遮光部材と第２の遮光部材の一部が重なって第１の切欠部と第２の切欠部との間にできる開口領域によって絞り開口を形成することができる。
【発明の効果】
【００１７】
本発明に係る露出制御装置によれば、撮像装置に組み込む際、駆動手段がレンズ鏡筒外部に張り出すことがなく、撮像装置の小型化及びスリム化に寄与できる。また、本発明に係る露出制御装置では、ガイド軸及びスリーブ部を設けたことにより、遮光部である絞り羽根とこれを支持する支持部との間の摩擦を軽減するとともに絞り羽根同士のクリアランスが確保でき安定した駆動制御が可能になる。
【発明を実施するための最良の形態】
【００１８】
本発明の実施例として示す露出制御装置は、スライド式の“絞り羽根”によって結像部の光量を制御する装置であって、駆動手段として移動体側に設けられた平面巻回コイルと固定側の磁石との間でフレミングの法則に基づいて生じる力を駆動力とした、非接触駆動により絞り羽根を動かすための直線運動を得ることを特徴としている。
【００１９】
以下、本発明の実施例について図面を参照して詳細に説明する。図１に、本発明の第１の実施例として示す露出制御装置１の外観を示す。露出制御装置１は、可動部と固定部とを一対有しているため、図面ではａ，ｂの符号を付けて区別している。図２は、露出制御装置１に一対設けられた可動部及び固定部のうち一方を説明する組立図である。
【００２０】
可動部は、光量を制御するための遮光部材１１ａと、この遮光部材１１ａを保持するとともに固定部に対して可動自在に連結する保持部材１２ａとを備えている。また、露出制御装置１は、可動部を可動自在に支持するとともに可動部の動き方向を規制するためのガイド軸１７１及びガイド軸１７２とを備え、ガイド軸１７１及びガイド軸１７２に挿通された可動部及び駆動手段は、保護カバー２１ａ及び地板２２ａによって保護されている。
【００２１】
遮光部材１１ａは、可撓性を有する程度に薄い軽量な材料からなり矩形平板形状を有し、一端に該矩形平板の両長辺から部材中央方向に向かって尖状に切り込まれた三角状切欠１３ａを有する。遮光部材１１ａのもう一方の端部は、保持部材１２ａに取り付けられている。光量を調整するときのスライド動作によって遮光部材１１ａが屈曲したりずれたりしないように遮光部材１１ａの両長辺の外縁部分は、この遮光部材の材質よりも堅い材料からなる補強部材１４１ａ，１４２ａで補強されている。遮光部材１１ａは、後述するもう一方の遮光部材１１ｂとともに絞り開口を形成し、開口サイズを変更することで撮像時における被写体からの光量を規制している。以下、遮光部材を“絞り羽根”と記す。
【００２２】
図３に、絞り羽根１１ａの短辺方向に保持部材１２ａを切り欠いた断面を示す。保持部材１２ａは、図３に示すように、絞り羽根１１ａの短辺と略同長の幅をもった平板形状であって、三角状切欠１３ａを有する部位の反対端で絞り羽根１１ａを保持している。また、保持部材１２ａは、絞り羽根１１ａの長辺に平行な外周位置に、後述するガイド軸１７１を挿入するスリーブ１５ａを備え、スリーブ１５ａと対照位置にガイド軸１７２を挿通するための支持孔１６ａを備える。絞り羽根１１ａは、保持部材１２ａの一方の平面上に設けられる。若しくは２枚の板状部材からなる保持部材１２ａに挟持されているが、この場合、保持部材１２の厚み方向に対して一方の平面寄りに取り付けられることが好ましい。スリーブ１５ａには、保持部材１２ａの移動量を検出するためのＭＲマグネット３１ａが設けられている。
【００２３】
絞り羽根１１ａの位置は、ＭＲマグネット３１ａ及びＭＲセンサ３２ａによって検出される。ＭＲマグネット３１ａは、移動方向に沿って磁極が交互に異なるように着磁されており、絞り羽根１１ａのスリーブ１５ａ上に設けられている。位置検出用のＭＲセンサ３２ａは、保護カバー２１ａと地板２２ａとでできる空間の内壁、又はＭＲマグネット３１ａが移動する領域の撮像装置内壁に、ＭＲマグネット３１ａと一定間隔をあけて取り付けられている。ＭＲセンサ３２ａは、ＭＲマグネット３１ａからこのセンサに及ぶ磁界の変化に伴って抵抗値が変化する磁気抵抗効果素子である。したがって、絞り羽根１１ａの移動に伴ってＭＲマグネット３１ａが移動すると、対向配置されたＭＲセンサ３２ａに及ぶ磁界が変化し、これに伴うＭＲセンサ３２ａの抵抗値変化をカウントすることによって絞り羽根１１ａの位置を正確に検出することができる。
【００２４】
ＭＲマグネット３１ａを設ける位置は、駆動用の平面巻回コイル１８ａに対する後述するマグネット２４ａの磁力線を干渉しない位置であれば、スリーブ１５ａ上に限定されない。また、絞り羽根１１ａの位置を検出する手段としては、ＭＲセンサ及びＭＲマグネットに限定されず、既知の位置検出器を用いることができる。ただし、絞り羽根の駆動を妨げないように非接触の位置検出器であることが好ましい。
【００２５】
露出制御装置１は、絞り羽根１１ａ及び保持部材１２ａを可動自在に支持するとともに光軸に直交する平面上の一方向に規制する互いに平行なガイド軸１７１、ガイド軸１７２を備えている。保持部材１２ａは、スリーブ１５ａにガイド軸１７１が挿通され、支持孔１６ａにガイド軸１７２が挿通されることによってガイド軸に移動可能に支持されている。保持部材１２ａは、２本のガイド軸に支持されることにより、ガイド軸外周方向に対して回り止めされて光軸に対して安定し、移動方向にガタつくことなくガイド軸方向にスライド動作できる。
【００２６】
図４に絞り羽根１１ａ及び保持部材１２ａの移動方向に平行な断面図を示す。保持部材１２ａは、駆動用コイル取付面を有し、この取付面上に平面巻回コイル１８ａが備えられている。平面巻回コイル１８ａは、平面の略中央に設けられ、図示しないフレキシブルプリント配線基板等に接続されて電流が供給される。なお、図示しない電流制御部によって平面巻回コイル１８ａに供給される電流方向及び電流量が制御されている。
【００２７】
保護カバー２１ａは、互いに反対の極性に着磁された２つの領域Ａ、領域Ｂを有するマグネット２４ａを有し、このマグネット２４ａは、保護カバー２１ａの内側の平面巻回コイル１８ａに対向する箇所にヨーク２３ａを介して取り付けられている。このように、固定部としての保護カバー２１ａに備えられたマグネット２４ａと可動部として保持部材１２ａに設けられた平面巻回コイル１８ａとで、いわゆるリニアアクチュエータが構成されている。保護カバー２１ａと地板２２ａは、平面形状が互いに略同形状になっており、互いに嵌め合わされてできる内部空間に、図４に示すように駆動部を構成するマグネット２４ａと平面巻回コイル１８ａとが、またこれにより可動となる保持部材１２ａとが収納される。また、ガイド軸１７１、１７２は、保護カバー２１ａ或いは地板２２ａの何れかに互いに平行等間隔に固定される。
【００２８】
露出制御装置１は、上述した絞り羽根１１ａと駆動部とを含む可動部と同様の絞り羽根１１ｂを備えている。すなわち、露出制御装置１は、矩形平板形状を有し一端に該矩形平板の中央方向に切り込まれた三角状切欠１３ｂを有する絞り羽根１１ｂが保持部材１２ｂに接合されている。保持部材１２ｂは、絞り羽根１１ｂが、三角状切欠部１３ｂを三角状切欠部１３ａに向き合わせるようにしてガイド軸に支持されている。絞り羽根１１ｂの三角状切欠１３ｂを三角状切欠１３ａに対して向き合わせる方向でスリーブ１５ｂにガイド軸１７１を挿通し、支持孔１６ｂに１７２を挿通する。このとき絞り羽根１１ｂは、絞り羽根１１ａと略同一平面であるが互いに衝突しない高さ差をもって、光軸に直交する平面上の一方向にスライド可能に支持される。ガイド軸１７１、１７２の一端は保護カバー２１ａと地板２２ａで固定され、他端は保護カバー２１ｂと地板２２ｂによって固定されている。
【００２９】
保持部材１２ｂには、保持部材１２ａの平面巻回コイル１８ａが設けられた側と同じ平面上に平面巻回コイル１８ｂが設けられている。保護カバー２１ｂの平面巻回コイル１８ｂに対応する位置には、ヨーク２３ｂを介してマグネット２４ｂが備えられている。
【００３０】
したがって、絞り羽根１１ａと絞り羽根１１ｂは、絞り羽根１１ａがガイド軸に沿って移動し、絞り羽根１１ｂが同一のガイド軸に沿って絞り羽根１１ａとは逆向きに移動することにより、三角状切欠部１３ａと三角状切欠１３ｂとが一部重なり合うことできる略菱形の開口部によって“絞り開口”が形成される。絞り羽根１１ａと絞り羽根１１ｂとが互いに逆方向に移動するように制御されると開口領域の大きさが変わり、通過する光量を規制できる。またこのとき、上述したように絞り羽根１１ａが保持部材１２ａの厚みに対して一方の平面寄りに取り付けられて、絞り羽根１１ｂが絞り羽根１１ａとは反対の面よりに取り付けられているために、保持部材の厚みに相当する高さ差ができ、両絞り羽根間の厚み方向のクリアランスが確保される。これにより、絞り羽根同士が干渉し合って互いに他の動作を妨げることがない。
【００３１】
次に、第１の実施例の駆動部分を変更した第２の実施例について図面を参照して説明する。
【００３２】
第２の実施例として示す露出制御装置２の絞り羽根１１ａ及び保持部材１２ａの移動方向に平行な断面を図５に示す。第２の実施例として示す露出制御装置２は、露出制御装置１と同一の構成を有するが、保持部材２１ａを駆動する平面巻回コイルが保持部材１２ａと保持部材１２ｂとで異なる面に設けられている点が特徴的である。すなわち、入射する光に対して、一方の平面巻回コイルが被写体側に設けられ、他方が結像側に配置される。図５に示す例では、平面巻回コイル１８ａが被写体側に設けられ、平面巻回コイル１８ｂが結像側に設けられている。
【００３３】
上述した第１の実施例及び第２の実施例として示した露出制御装置は、平面巻回コイル１８に電流が流れるとマグネット２３ａとの間を通る磁束が変化することから、平面巻回コイル１８ａがマグネット２３ａの磁力線を横切る部分にフレミングの左手の法則によって光軸に垂直な方向に平行な推力が発生し、この推力が保持部材１２ａ及び１２ｂの駆動力となって、絞り羽根１１ａ及び１１ｂをガイド軸に沿った方向に動かす。したがって、露出制御装置１，２によれば、ガイド軸及びスリーブを設けたことにより、絞り羽根１１ａ、１１ｂの開口動作による摩擦を軽減するとともに、絞り羽根同士のクリアランスが確保できるため、安定した駆動制御が可能になる。第１の実施例と第２の実施例は、この露出制御装置が組み込まれるレンズ鏡筒に応じて最適な方を選択できる。
【００３４】
続いて、本発明の第３の実施例である露出制御装置３について図６及び図７を用いて説明する。第３の実施例として示す露出制御装置は、絞り羽根１１ａと絞り羽根１１ｂに各々設けていた平面巻回コイルと、これに対応するマグネットを１組使用するだけで両方の羽根を同時に開閉する機構を取り入れることによって露出制御機構をより軽量化・簡素化している。図６及び図７において、上述した露出制御装置１，２に共通する機能を有する構成には同一の番号を付けて詳細な説明を省略する。
【００３５】
露出制御装置３は、平面巻回コイル１８とこれに対応するマグネット２４を１組使用するだけで両方の羽根を同時に開閉できるようにしたため、絞り羽根の構造に特徴を有する。本実施例の絞り開閉機構に適用する絞り羽根について、図６を用いて説明する。
【００３６】
絞り羽根４１ａは、可撓性を有する程度に薄い軽量な材料からなり矩形平板形状を有し、一端に該矩形平板の両長辺から部材中央方向に向かって尖状に切り込まれた三角状切欠４２ａを有し、移動方向に平行な長辺の一方に連結アーム４１１が三角状切欠側に延長されている。また、絞り羽根４１ａは、光量を調整するときのスライド動作によって絞り羽根４１ａが屈曲したりずれたりしないように絞り羽根４１ａの両長辺の外縁部分が絞り羽根の材質よりも堅い材料からなる補強部材１４１ａ，１４２ａで補強されている。本具体例では、この補強部材の一方が連結アーム４１１を兼ねている。連結アーム４１１の端部には、後述する駆動羽根連結軸に連結するための連結孔４３ａが設けられている。
【００３７】
一方、絞り羽根４１ｂは、絞り羽根４１ａと同様、可撓性を有する程度に薄い軽量な材料からなり矩形平板形状を有し、一端に該矩形平板の両長辺から部材中央方向に向かって尖状に切り込まれた三角状切欠４２ｂを有する。また、移動方向に平行な長辺の一方に連結アーム４２１が三角状切欠の反対端側に延長されている。絞り羽根４１ｂも外縁部分が絞り羽根の材質よりも堅い材料からなる補強部材１４１ｂ，１４２ｂで補強されている。この補強部材の一方が連結アーム４２１を兼ねている。連結アーム４２１の端部には、後述する羽根連結軸と連結するための連結光４３ｂが設けられている。
【００３８】
図７に、露出制御装置３の構成を示す。絞り羽根４１ａは、三角状切欠４２ａを有する部位の反対端がこの絞り羽根４１ａの短辺と略同長の幅をもった平板形状の保持部材１２に取り付けられている。保持部材１２は、駆動用コイル取付面を有し、この取付面上に平面巻回コイル１８が備えられている。平面巻回コイル１８は、平面の略中央に設けられ、図示しないフレキシブルプリント配線基板等に接続されて電流が供給される。なお、図示しない電流制御部によって、平面巻回コイル１８に供給される電流方向及び電流量が制御されている。
【００３９】
保護カバー２１は、互いに反対の極性に着磁された２つの領域Ａ、領域Ｂを有するマグネット２４を有し、このマグネット２４は、保護カバー２１の内側にヨーク２３を介して取り付けられている。保護カバー２１と地板２２は、平面形状が互いに略同形状になっており、互いに嵌め合わされてできる内部空間に、駆動部と可動部とが収納される。ガイド軸を設ける場合には、保護カバー２１或いは地板２２の何れかに互いに平行等間隔に固定されている。
【００４０】
保持部材１２は、より安定化させるために絞り羽根４１ａの長辺に平行な外周位置にスリーブ１５と、スリーブ１５と対照位置に支持孔１６とを備え、これにガイド軸を挿通して支持する。絞り羽根４１は、一方の平面上若しくは保持部材１２の厚みに対して一方の平面寄りに取り付けられる。露出制御装置３も先の例と同様に、絞り羽根１１ａの位置は、ＭＲマグネット３１及びＭＲセンサ３２によって検出される。ＭＲマグネット３１は、移動方向に沿って磁極が交互に異なるように着磁されており、絞り羽根４１ａのスリーブ１５上に設けられている。位置検出用のＭＲセンサ３２は、保護カバー２１と地板２２とでできる空間の内壁、又はＭＲマグネット３１が移動する領域の撮像装置内壁に、ＭＲマグネット３１と一定間隔をあけて取り付けられている。
【００４１】
露出制御装置３は、絞り羽根４１ａと絞り羽根４１ｂとを互いに逆方向に同期して動作させるための構成として、撮像装置内部に固定される地板４４と、回動軸４５を介して地板４４に回動自在に取り付けられた回動アーム４６とを備えている。回動アーム４６は、絞り羽根の短辺幅と略同長であって、一端に駆動側となる絞り羽根４１ａの連結アーム４１１の先端と連結される駆動羽根連結軸４７を有し、他方の端に絞り羽根４１ｂの連結アーム４２１の先端と連結される羽根連結軸４８を有している。
【００４２】
保持部材１２に接合された絞り羽根４１ａから延長された連結アーム４１１は、駆動羽根連結軸４７を介して回動アーム４６と連結され、絞り羽根４１ｂの連結アーム４２１が回動アーム４６の羽根連結軸４８に連結されている。
【００４３】
したがって露出制御装置３において、平面巻回コイル１８に電流が流れるとマグネット２３との間を通る磁束が変化することから、平面巻回コイル１８がマグネット２３の磁力線を横切る部分にフレミングの左手の法則によって光軸に垂直な方向に平行な推力が発生し、この推力が保持部材１２の駆動力となって、絞り羽根をガイド軸に沿った方向に動かす。このとき、絞り羽根４１ａが絞り方向（矢印Ｃａ方向）へ移動すると、連結アーム４１１に連結された回動アーム４６が回動軸４５を中心に回動し、その回動に伴って羽根連結軸４８に連結された連結アーム４２１を動かし、絞り羽根４１ｂを同じく絞り方向（矢印Ｃｂ方向）へ絞り羽根４１ａの移動量と同距離だけ移動させる。同様に、絞り羽根４１ａを開放する場合には、絞り羽根４１ａが開放方向（矢印Ｏａ方向）へ移動すると、この動きが回動アーム４６を介して絞り羽根４１ｂに伝達され、絞り羽根４１ｂを同じく開放方向（矢印Ｏｂ方向）へ絞り羽根４１ａの移動量と同距離だけ移動させる。
【００４４】
これにより、絞り羽根４１ａの三角状切欠部４２ａと絞り羽根４１ｂの三角状切欠４２ｂとが一部重なり合うことで略菱形の開口部としてできる“絞り開口”が形成される。絞り羽根４１ａと絞り羽根４１ｂとが互いに逆方向に移動するように制御されると開口領域の大きさが変わり、通過する光量を規制できる。またこのとき、上述したように絞り羽根４１ａは、保持部材１２の厚みに対して一方の平面寄りに取り付けられているために、保持部材の厚みに相当する高さ差ができ、両絞り羽根間のクリアランスが確保される。これにより、絞り羽根同士が干渉し合って互いに他の動作を妨げることがない。
【００４５】
上述した第３の実施例として示した露出制御装置３は、平面巻回コイル１８に電流が流れるとマグネット２３との間を通る磁束が変化することから、平面巻回コイル１８がマグネット２３の磁力線を横切る部分にフレミングの左手の法則によって光軸に垂直な方向に平行な推力が発生し、この推力が保持部材１２の駆動力となって絞り羽根４１ａをガイド軸に沿った方向に動かすと、絞り羽根４１ａに回動アーム４６で連結された絞り羽根４１ｂが逆方向に同距離移動する。したがって、露出制御装置３によれば、絞り羽根のリニア駆動部が１つでよいため、部品点数の削減及び製造コスト削減に寄与できる。
【００４６】
なお、位置検出用のＭＲマグネット３１及びＭＲセンサ３２は、絞り羽根４１ａ、４１ｂの移動量が回動アーム４６を介して同量であるため、絞り羽根４１ａ、４１ｂの何れかに設置されていればよい。位置検出のための機構としては、上述した第１の実施例と同様、非接触による既知の位置検出器を用いることができる。
【００４７】
続いて説明する実施例は、絞り羽根をスライド動作させる駆動手段を絞り羽根の可動領域よりも外側に設けたタイプである。以下の実施例では、保持部材を用いることなく絞り羽根をガイド軸に可動自在に連結することができるため、スライド動作する部分をより軽量化できるという利点がある。図８に、本発明の第４の実施例として示す露出制御装置４の外観を示す。また、図９には、絞り羽根の短辺方向の断面を示す。露出制御装置４は、光量を制御するための絞り羽根と、絞り羽根をスライド動作させるための構成とを備えている。
【００４８】
絞り羽根５１ａは、可撓性を有する程度に薄い軽量な材料からなり矩形平板形状を有し、一端に該矩形平板の両長辺から部材中央方向に向かって尖状に切り込まれた三角状切欠５２ａを有する。また、絞り羽根５１ａは、光量を調整するときのスライド動作によって屈曲したりずれたりしないように両長辺の外縁部分が、この遮光部材の材質よりも堅い材料からなる補強部材５３１ａ，５３２ａで補強されている。
【００４９】
補強部材５３１ａ、５３２ａには、後述するガイド軸６１１を挿入するスリーブ５４ａが取り付けられている。また、スリーブ５４ａと絞り羽根５１ａに対して略対照となる位置には、ガイド軸６１２を挿通するためのスリーブ５５ａが取り付けられている。スリーブ５４ａ及びスリーブ５５ａは、絞り羽根５１ａの厚み方向に対して絞り羽根５１ａの一方の平面寄りに取り付けられる。スリーブ５４ａの光軸と垂直な一面には、絞り羽根５１ａの移動量を検出するためのＭＲマグネット６３ａが設けられている。
【００５０】
ＭＲマグネット６３ａは、移動方向に沿って磁極が交互に異なるように着磁されており、絞り羽根５１ａのスリーブ５５ａ上に設けられている。位置検出用のＭＲセンサは、図９に示すようにＭＲマグネット６３ａが移動する範囲に、ＭＲマグネット６３ａと一定間隔をあけて撮像装置内壁に取り付けられている。ＭＲセンサ６４ａは、ＭＲマグネット６３ａからこのセンサに及ぶ磁界の変化に伴って抵抗値が変化する磁気抵抗効果素子である。したがって、絞り羽根５１ａの移動に伴ってＭＲマグネット６３ａが移動すると、対向配置されたＭＲセンサ６４ａに及ぶ磁界が変化し、これに伴うＭＲセンサ６４ａの抵抗値変化をカウントすることによって、絞り羽根５１ａの位置を正確に検出することができる。
【００５１】
スリーブ５４ａには駆動用コイル取付部５６１ａが設けられている。また、スリーブ５５ａには駆動用コイル取付部５６２ａが設けられている。スリーブ５４ａの駆動用コイル取付部５６１ａは、平面巻回コイル５７１ａ，５７２ａを備えている。平面巻回コイル５７１ａ，５７２ａは、駆動用コイル取付部５６１ａの略中央に設けられ、図示しないフレキシブルプリント配線基板等に接続されて電流が供給され、図示しない電流制御部によって平面巻回コイル５７１ａ，５７２ａに供給される電流方向及び電流量が制御されている。
【００５２】
実際には図８の平面図において、平面巻回コイルは、駆動用コイル取付部５６１ａ，５６１ｂ，５６２ａ、５６２ｂによって直接みることができない位置にあるが、図８では、平面巻回コイルを分かり易くしたため、駆動用コイル取付部を点線で示した。
【００５３】
露出制御装置４は、上述した絞り羽根５１ａと同様の構成を有する絞り羽根５１ｂを備えている。すなわち、絞り羽根５１ｂは、一端に該矩形平板の両長辺から部材中央方向に向かって尖状に切り込まれた三角状切欠５２ｂを有し、両長辺の外縁部分が補強部材５３１ｂ，５３２ｂで補強されている。そして、三角状切欠５２ｂを絞り羽根５１ａの三角状切欠部５２ａに向き合わせるようにしてガイド軸に挿通されている。
【００５４】
撮像装置内壁には、絞り羽根５１ａ及び絞り羽根５１ｂの平面巻回コイル５７１ａ、５７２ａ、５７１ｂ、５７２ｂに対して、撮像装置内壁にはマグネット６２１ａ、６２２ａ、６２１ｂ、６２２ｂが取り付けられている。これらマグネットと絞り羽根５１ａ、５１ｂに設けられた平面巻回コイルとの間で、いわゆるリニアアクチュエータが構成されている。
【００５５】
露出制御装置４は、絞り羽根５１ａ及び絞り羽根５１ｂを可動自在に支持するとともに光軸に直交する平面上の一方向に規制する互いに平行なガイド軸６１１、ガイド軸６１２を備えている。スリーブ５４ａにガイド軸６１１が挿通され、スリーブ５５ａにガイド軸６１２が挿通されることによってガイド軸に移動可能に支持されている。
【００５６】
また、絞り羽根５１ｂは、三角状切欠５２ｂを絞り羽根５１ａの三角状切欠５２ａに対して向き合わせる方向でスリーブ５４ｂにガイド軸６１２を挿通し、スリーブ５５ｂにガイド軸６１１を挿通している。各絞り羽根は、２本のガイド軸に支持されることにより、ガイド軸外周方向に対して回り止めされて光軸に対して安定し移動方向にガタつくことなくガイド軸方向にスライド動作できる。また、絞り羽根５１ｂは、絞り羽根５１ａと略同一平面であるが互いに衝突しない高さ差をもって、光軸に直交する平面上の一方向にスライド可能に支持される。
【００５７】
以上の構成により、絞り羽根５１ａは、後述するもう一方の遮光部材５１ｂとともに絞り開口を形成し、開口サイズを変更することで撮像時における被写体からの光量を規制している。
【００５８】
上述した露出制御装置４は、平面巻回コイルに電流が流れるとマグネット６２１ａと平面巻回コイル５７１ａ、５７２ａの間を通る磁束が変化し、フレミングの左手の法則によってマグネット６２１ａを横切るコイルに対して光軸方向に垂直な方向に平行な推力が発生する。この推力を駆動力として、絞り羽根５１ａは、光軸に垂直な方向に移動する。本具体例では、２相コイルを使用するため、平面巻回コイル５７１ａ、５７２ａ及び５８１ａ、５８２ａに流れる電流の方向や電圧の強さをタイミングよく切り替えることにより、１相コイルの場合よりも長いストロークを移動させることができる。なお、絞り羽根５１ａの位置は、位置検出用のＭＲマグネット６３ａ、ＭＲセンサ６４ａによって検出される。
【００５９】
したがって、絞り羽根５１ａと絞り羽根５１ｂは、絞り羽根５１ａがガイド軸に沿って移動し、絞り羽根５１ｂが同一のガイド軸に沿って絞り羽根５１ａとは逆向きに移動することにより、三角状切欠部５２ａと三角状切欠５２ｂとが一部重なり合うことできる空隙によって“絞り開口”が略菱形の開口部として形成される。絞り羽根５１ａと絞り羽根５１ｂとが互いに逆方向に移動するように制御されると開口領域の大きさが変わり、通過する光量を規制できる。またこのとき、上述したようにスリーブ５４ａ及びスリーブ５５ａが絞り羽根５１ａの厚み方向に対して一方の平面寄りに取り付けられているために、絞り羽根の厚みに相当する高さ差ができ、両絞り羽根間の厚み方向のクリアランスが確保される。これにより、絞り羽根同士が干渉し合って互いに他の動作を妨げることがない。
【００６０】
続いて、本発明の第５の実施例について図面を参照して詳細に説明する。第５の実施例として示す露出制御装置５は、絞り羽根５１ａを駆動するためのリニアアクチュエータを構成する平面巻回コイルとこれに対するマグネットとを片側１つとし、なおかつ絞り羽根５１ａと絞り羽根５１ｂとでマグネットを共有する構造にしている。図１０は、本発明の第５の実施例として示す露出制御装置５の外観を示す。また、図１１には、絞り羽根の短辺方向の断面を示す。露出制御装置５は、図８に示した露出制御装置４と基本構造を同じくするため、同様の機能を有する構成は、同一の番号を付けて詳細な説明を省略する。
【００６１】
露出制御装置５における絞り羽根５１ａの両長辺は、補強部材５３１ａ、５３２ａによって補強されており、ガイド軸６１１、６１２を挿入するスリーブ５４ａ、５５ａが取り付けられている。スリーブ５４ａ及びスリーブ５５ａは、絞り羽根５１ａの厚み方向に対して絞り羽根５１ａの一方の平面寄りに取り付けられている。絞り羽根５１ａでは、スリーブ５５ａの一方にのみ、駆動用コイル取付部７１ａが設けられており、駆動用コイル取付部７１ａには、平面巻回コイル７２１ａ、７２２ａが設置されている。平面巻回コイル７２１ａ、７２２ａは、駆動用コイル取付部７１ａの略中央に設けられ、図示しないフレキシブルプリント配線基板等に接続されて電流が供給されている。スリーブ５４ａの光軸と垂直な一面には、絞り羽根５１ａの移動量を検出するためのＭＲマグネット６３ａが設けられている。
【００６２】
絞り羽根５１ｂも同様に、補強部材５３１ｂ、５３２ｂによって両長辺の端部を補強されている。補強部材５３１ａには、ガイド軸６１１、６１２を挿入するスリーブ５４ｂ、５５ｂが取り付けられている。絞り羽根５１ｂでは、スリーブ５５ｂの一方にのみ、駆動用コイル取付部７１ｂが設けられており、駆動用コイル取付部７１ｂには、平面巻回コイル７２１ｂ，７２２ｂを備えている。平面巻回コイル７２１ｂ，７２２ｂは、駆動用コイル取付部７１ｂの略中央に設けられ、図示しないフレキシブルプリント配線基板等に接続されて電流が供給され、図示しない電流制御部によって平面巻回コイル７２１ｂ，７２２ｂに供給される電流方向及び電流量が制御されている。
【００６３】
実際には図１０の平面図において、平面巻回コイルは、駆動用コイル取付部によって直接みることができない位置にあるが、図１０では、平面巻回コイルを分かり易くしたため、駆動用コイル取付部を点線で示した。
【００６４】
絞り羽根５１ａと絞り羽根５１ｂは、スリーブ５４ａにガイド軸６１１が挿通され、スリーブ５５ａにガイド軸６１２が挿通されることによってガイド軸に移動可能に支持されるとともに、光軸に直交する平面上の一方向に移動が規制されている。絞り羽根５１ｂは、三角状切欠５２ｂを絞り羽根５１ａの三角状切欠５２ａに対して向き合わせる方向でスリーブ５４ｂにガイド軸６１２を挿通し、スリーブ５５ｂにガイド軸６１１を挿通している。各絞り羽根は、２本のガイド軸に支持されることにより、ガイド軸外周方向に対して回り止めされて光軸に対して安定し移動方向にガタつくことなくガイド軸方向にスライド動作できる。また、絞り羽根５１ｂは、絞り羽根５１ａと略同一平面であるが互いに衝突しない高さ差をもって、光軸に直交する平面上の一方向にスライド可能に支持される。
【００６５】
撮像装置内壁には、絞り羽根５１ａにおける平面巻回コイル７２１ａ及び７２２ａ、羽根５１ｂにおける７２１ａ及び７２１ｂが移動する範囲に、平面巻回コイルに対応する位置に一定間隔をあけてマグネット７３が取り付けられている。マグネット７３は、移動方向に沿って磁極が交互に異なるように着磁されており、スリーブ５４ａ及びスリーブ５５ｂに対して平行に設けられている。これらマグネットと絞り羽根５１ａ、５１ｂに設けられた平面巻回コイル７２１ａ、７２２ａ、７２１ｂ、７２２ｂとの間で、いわゆるリニアアクチュエータが構成されている。
【００６６】
次に、本発明の第６の実施例である露出制御装置６について図１２及び図１３を用いて説明する。第６の実施例として示す露出制御装置は、図８又は図１０に示した露出制御装置に対して、絞り羽根５１ａと絞り羽根５１ｂに各々設けていた平面巻回コイルとこれに対応するマグネットを１組使用するだけで両方の羽根を同時に開閉する機構を取り入れることによって露出制御機構をより軽量化・簡素化している。図１２及び図１３において、上述した露出制御装置４，５に共通する機能を有する構成には同一の番号を付けて詳細な説明を省略する。
【００６７】
露出制御装置６は、平面巻回コイルとこれに対応するマグネットを１組使用するだけで両方の羽根を同時に開閉できるようにしたため、絞り羽根の構造に特徴を有する。本実施例の絞り開閉機構に適用する絞り羽根について図１２を用いて説明する。
【００６８】
ここでは、図６を用いて説明した絞り羽根の開閉機構を使用することができる。絞り羽根４１ａは、可撓性を有する程度に薄い軽量な材料からなり矩形平板形状を有し、一端に該矩形平板の両長辺から部材中央方向に向かって尖状に切り込まれた三角状切欠４２ａを有し、移動方向に平行な長辺の一方に連結アーム４１１が三角状切欠側に向かって延長されている。また、絞り羽根４１ａは、光量を調整するときのスライド動作によって絞り羽根４１ａが屈曲したりずれたりしないように絞り羽根４１ａの両長辺の外縁部分が絞り羽根の材質よりも堅い材料からなる補強部材１４１ａ，１４２ａで補強されている。この補強部材の一方が連結アーム４１１を兼ねていてもよい。絞り羽根４１ｂは、絞り羽根４１ａと同様、三角状切欠４２ｂを有し、移動方向に平行な長辺の一方に連結アーム４２１が三角状切欠の反対端側に延長されている。また、絞り羽根４２の外縁部分は、補強部材１４１ｂ，１４２ｂで補強されている。この補強部材の一方が連結アーム４２１を兼ねていてもよい。
【００６９】
補強部材１４１ａ及び１４２ａには、ガイド軸６１１、６１２を挿入するスリーブ５４ａ、５５ａが取り付けられている。スリーブ５４ａ及びスリーブ５５ａは、絞り羽根４１ａの厚み方向に対して絞り羽根４１ａの一方の平面寄りに取り付けられる。絞り羽根４１ｂも同様に、補強部材５３１ｂ、５３２ｂによって両長辺の端部を補強されている。補強部材５３１ａには、ガイド軸６１１、６１２を挿入するスリーブ５４ｂ、５５ｂが取り付けられている。スリーブ５４ｂの光軸と垂直な一面には、絞り羽根４１ａ及び絞り羽根４１ｂの移動量を検出するためのＭＲマグネット６３が設けられている。
【００７０】
スリーブ５４ａには駆動用コイル取付部５６１ａが設けられており、スリーブ５５ａには駆動用コイル取付部５６２ａが設けられている。平面巻回コイル５７１ａ、５７２ａは、駆動用コイル取付部５６１ａの略中央に設けられ、図示しないフレキシブルプリント配線基板等に接続されて電流が供給され、図示しない電流制御部によって平面巻回コイル５７１ａ，５７２ａに供給される電流方向及び電流量が制御されている。
【００７１】
実際には図１２の平面図において、平面巻回コイルは、駆動用コイル取付部によって直接みることができない位置にあるが、図１２では、平面巻回コイルを分かり易くしたため、駆動用コイル取付部を点線で示してある。
【００７２】
絞り羽根４１ａと絞り羽根４１ｂは、スリーブ５４ａにガイド軸６１１が挿通され、スリーブ５５ａにガイド軸６１２が挿通されることによってガイド軸に移動可能に支持されるとともに、光軸に直交する平面上の一方向に移動が規制されている。絞り羽根４１ｂは、三角状切欠４２ｂを絞り羽根４１ａの三角状切欠４２ａに対して向き合わせる方向でスリーブ５４ｂにガイド軸６１２を挿通し、スリーブ５５ｂにガイド軸６１１を挿通している。各絞り羽根は、２本のガイド軸に支持されることにより、ガイド軸外周方向に対して回り止めされて光軸に対して安定し移動方向にガタつくことなくガイド軸方向にスライド動作できる。
【００７３】
露出制御装置６は、絞り羽根４１ａと絞り羽根４１ｂとを互いに逆方向に同期して動作させるための構成として、撮像装置内部に回動自在な回動軸８１を介して固定される回動アーム８２を備えている。回動アーム８２は、絞り羽根の短辺幅と略同長であって、一端に駆動側となる絞り羽根４１ａの連結アーム４１１の先端と連結される駆動羽根連結軸８３を有し、他方の端に絞り羽根４１ｂの連結アーム４２１の先端と連結される羽根連結軸８４を有している。絞り羽根４１ａから延長された連結アーム４１１は、駆動羽根連結軸８３を介して回動アーム８２と連結され、絞り羽根４１ｂの連結アーム４２１が回動アーム８２の羽根連結軸８４に連結されている。
【００７４】
したがって、上述した機構を有する露出制御装置６は、平面巻回コイル５７１ａ、５７２ａ、５８１ａ、５８２ａに電流が流れると、マグネット６２１ａ、６２２ａとの間を通る磁束が変化することから、フレミングの左手の法則によって光軸に垂直な方向に平行な推力が発生し、この推力が絞り羽根４１ａの駆動力となって、絞り羽根４１ａをガイド軸に沿った方向に動かす。このとき、絞り羽根４１ａが絞り方向へ移動すると、連結アーム４１１に連結された回動アーム８２が回動軸８１を中心に回動し、その回動に伴って羽根連結軸８４に連結された連結アーム４２１を動かし、絞り羽根４１ｂを同じく絞り方向へ、絞り羽根４１の移動量と同距離だけ移動させる。同様に、絞り羽根４１ａを開放する場合には、絞り羽根４１ａが開放方向へ移動すると、この動きが回動アーム８２を介して絞り羽根４１ｂに伝達され、絞り羽根４１ｂを開放方向へ、絞り羽根４１の移動量と同距離だけ移動させる。
【００７５】
これにより、絞り羽根４１ａの三角状切欠部４２ａと絞り羽根４１ｂの三角状切欠４２ｂとが一部重なり合うことできる略菱形の開口部によって“絞り開口”が形成される。絞り羽根４１ａと絞り羽根４１ｂとが互いに逆方向に移動するように制御されると開口領域の大きさが変わり、通過する光量を規制できる。またこのとき、上述したように絞り羽根４１ａは、絞り羽根の厚みに対して一方の平面寄りに取り付けられているために、互いに高さ差ができ、両絞り羽根間のクリアランスが確保される。
【００７６】
したがって、絞り羽根同士が干渉し合って互いに他の動作を妨げることがない。このように、露出制御装置６は、絞り羽根のリニア駆動部が１つでよいため、部品点数の削減及び製造コスト削減に寄与できる。なお、第６の実施例において、駆動手段としてのマグネット６２１ａと平面巻回コイル５７１ａ、５７２ａの組み合わせ、またマグネット６２２ａと平面巻回コイル５８１ａ、５８２ａの組み合わせは、何れか一方であってもよい。
【００７７】
図１３は、上述した第６の実施例として示す露出制御装置６の変形例を示す。図１３に示すように、駆動機構が図１２に示した例のうち、何れか一方だけであってもよい。この場合、駆動部の構成がより軽量化され、撮像装置の小型化又はスリム化に寄与できる。
【００７８】
なお、位置検出用のＭＲマグネット３１及びＭＲセンサ３２は、絞り羽根１１ａ，１１ｂの移動量が回動アーム４５を介して同量であるため、絞り羽根１１ａ，１１ｂの何れかに設置されていればよい。位置検出のための機構としては、上述した第１の実施例と同様、非接触による既知の位置検出器を用いることができる。
【００７９】
以上説明した６つの実施例によれば、ガイド軸とスリーブを採用することによって、絞り羽根とこれを支持する支持部材との間の摩擦を低減することができ、絞り羽根同士のクリアランスも確保できるため、安定した駆動ができる。また、第３〜第６の実施例のように、駆動手段としての平面巻回コイルを２相にし、コイルに流す電流をタイミングよく制御すれば、長ストロークの移動が可能になる。リニア駆動とすることによって、コイル及びマグネットの設置位置の自由度が増すため、コイルを絞り羽根の可動領域の外側に配置することができ、絞り羽根が軽量化できる。従来、絞り羽根を構成していたカバー部材や地板部材を廃止できるため、部品点数が削減され、製造コストを低減できる。
【図面の簡単な説明】
【００８０】
【図１】本発明の実施例として示す露出制御装置を説明する外観図である。
【図２】上記露出制御装置の一方の可動部及び固定部を説明する組立斜視図である。
【図３】上記露出制御装置の絞り羽根と保持部材を短辺方向からみた断面図である。
【図４】上記露出制御装置の保持部材及び絞り羽根の移動方向の断面図である。
【図５】本発明の第２の実施例として示す露出制御装置の絞り羽根及び保持部材の移動方向に平行な断面図である。
【図６】本発明の第３の実施例として示す露出制御装置に適用する絞り羽根を説明する図である。
【図７】本発明の第３の実施例として示す露出制御装置を説明する組立斜視図である。
【図８】本発明の第４の実施例として示す露出制御装置を説明する平面図である。
【図９】第４の実施例として示す露出制御装置の絞り羽根と保持部材を短辺方向からみた断面図である。
【図１０】本発明の第５の実施例として示す露出制御装置を説明する平面図である。
【図１１】第５の実施例として示す露出制御装置の絞り羽根と保持部材を短辺方向からみた断面図である。
【図１２】本発明の第６の実施例として示す露出制御装置を説明する平面図である。
【図１３】本発明の第６の実施例として示す露出制御装置の変形例を説明する平面図である。
【符号の説明】
【００８１】
１  露出制御装置、  １１ａ  遮光部材（絞り羽根）、  １２ａ  保持部材、
１３ａ    三角状切欠、  １４１ａ，１４２ａ    補強部材、  １５ａ    スリーブ、
１６ａ    支持孔、  １７１ａ，１７２ａ    ガイド軸、
１８ａ    平面巻回コイル、  ２１ａ    保護カバー、  ２２ａ    地板、
２３ａ    ヨーク、  ２４ａ    マグネット、  ３１    ＭＲマグネット、
３２    ＭＲセンサ、  ４１ａ    絞り羽根、  ４２ａ    三角状切欠、
４３    地板、  ４４    回動軸、  ４５    回動軸、  ４６    回動アーム、
４７    駆動羽根連結軸、  ４８    羽根連結軸
【図１】
2006064860.tif 000003
【図２】
2006064860.tif 000004
【図３】
2006064860.tif 000005
【図４】
2006064860.tif 000006
【図５】
2006064860.tif 000007
【図６】
2006064860.tif 000008
【図７】
2006064860.tif 000009
【図８】
2006064860.tif 000010
【図９】
2006064860.tif 000011
【図１０】
2006064860.tif 000012
【図１１】
2006064860.tif 000013
【図１２】
2006064860.tif 000014
【図１３】
2006064860.tif 000015